(57)【特許請求の範囲】
【請求項１】
先端側及び基端側が光学部材で封止された略筒状で先端側に配置される第１の固定レンズ枠と、
先端側及び基端側が光学部材で封止された略筒状で前記第１の固定レンズ枠の後方側外周に内周が挿入配置されて、該第１の固定レンズ枠と一体的に固定される第２の固定レンズ枠と、
前記第２の固定レンズ枠の外周部側面に軸方向に沿って形成された切り欠き部と、
前記第２の固定レンズ枠の内周と前記第１の固定レンズ枠の後方側外周に摺接して移動可能に配置される、レンズを挿嵌した略筒状の移動レンズ枠と、
前記移動レンズ枠の外周部側面に設けられ、前記切り欠き部に沿って前記移動レンズ枠と共に移動可能な柄部と、
を備え、
前記移動レンズ枠をその移動範囲内において、該移動レンズ枠の後端部が前記切り欠き部後端の第２の固定レンズ枠内周面に周接し、かつ当該移動レンズ枠の先端部が前記第１の固定レンズ枠の基端外周面に周接するように配置させることによって、
前記第２の固定レンズ枠の切り欠き部によって形成された開口を前記移動レンズ枠が閉塞状態として、前記第１の固定レンズ枠及び前記移動レンズ枠によって形成される内部と外部との連通を遮断可能にしたことを特徴とする対物光学ユニット。
【請求項２】
請求項１に記載の対物光学ユニットであって、
前記第２の固定レンズ枠に設けられ、この第２の固定レンズ枠に形成した切り欠き部及び前記柄部を被装し、前記第２の固定レンズ枠の基端側に開口部を有したカバー部を備えたことを特徴とする対物光学ユニット。
【請求項３】
請求項１又は請求項２に記載の対物光学ユニットを備えたことを特徴とする医療機器。
【請求項４】
請求項１に記載の対物光学ユニットの製造方法であって、
前記移動レンズ枠をその移動範囲内において該移動レンズ枠の後端部が前記切り欠き部後端の第２の固定レンズ枠内周面に周接し、かつ当該移動レンズ枠の先端部が前記第１の固定レンズ枠の基端外周面に周接するように配置させることによって、
前記第１の固定レンズ枠及び前記移動レンズ枠によって形成される内部と外部との連通を遮断した状態で、前記移動レンズ枠の操作に必要な各部品の取り付けを行うことを特徴とする対物光学ユニットの製造方法。
【発明の詳細な説明】
【０００１】
【発明の属する技術分野】
本発明は、対物光学ユニットを固定光学系と移動光学系とで構成した対物光学ユニット、医療機器及び対物光学ユニットの製造方法に関する。
【０００２】
【従来の技術】
内視鏡の挿入部先端部に設けた対物光学ユニットに移動光学系を設けた内視鏡が知られている。例えば、実開昭５５−１５１３０２号公報には手元側操作部から操作ワイヤを介して操作することにより、対物レンズを光軸方向に進退させてイメージガイドの先端面に焦点合わせを行う焦点調整機構を備えた内視鏡が示されている。
【０００３】
【発明が解決しようとする課題】
しかしながら、前記実開昭５５−１５１３０２号公報の内視鏡では、鏡枠に設けたガイド溝である切り欠き部が、鏡枠の内部側と外部側とを連通した状態にしている。このため、内視鏡を組み立てる際、通常の環境下では鏡枠内にゴミ等が浸入するおそれがある。
【０００４】
この不具合を防止するため、鏡枠の内部側と外部側とを連通する切り欠き部を有する場合には、組立てをクリーンルーム内で行ってゴミ等の浸入を防止したり、組立後に十分な洗浄作業を行って浸入したゴミ等の除去を行うようにしていたが、煩わしい作業であった。
【０００５】
本発明は上記事情に鑑みてなされたものであり、通常の環境下で、移動光学系を有する対物光学ユニットの組み立てを行う場合でも、鏡枠の内部へのゴミ等の浸入を防止した内視鏡を提供することを目的にしている。
【０００６】
【課題を解決するための手段】
本発明の対物ユニットは、先端側及び基端側が光学部材で封止された略筒状で先端側に配置される第１の固定レンズ枠と、先端側及び基端側が光学部材で封止された略筒状で前記第１の固定レンズ枠の後方側外周に内周が挿入配置されて、該第１の固定レンズ枠と一体的に固定される第２の固定レンズ枠と、前記第２の固定レンズ枠の外周部側面に軸方向に沿って形成された切り欠き部と、前記第２の固定レンズ枠の内周と前記第１の固定レンズ枠の後方側外周に摺接して移動可能に配置される、レンズを挿嵌した略筒状の移動レンズ枠と、前記移動レンズ枠の外周部側面に設けられ、前記切り欠き部に沿って前記移動レンズ枠と共に移動可能な柄部と、を備え、前記移動レンズ枠をその移動範囲内において、該移動レンズ枠の後端部が前記切り欠き部後端の第２の固定レンズ枠内周面に周接し、かつ当該移動レンズ枠の先端部が前記第１の固定レンズ枠の基端外周面に周接するように配置させることによって、前記第２の固定レンズ枠の切り欠き部によって形成された開口を前記移動レンズ枠が閉塞状態として、前記第１の固定レンズ枠及び前記移動レンズ枠によって形成される内部と外部との連通を遮断可能にしたことを特徴とする。
この構成によれば、移動レンズ枠を移動範囲内の所定位置に配することによって、ゴミ等の侵入経路となる切り欠き部が塞がれるので、通常の環境下でも鏡枠である固定レンズ枠内部へのゴミ等の侵入が防止される。
【０００７】
本発明の医療機器は、請求項１又は請求項２に記載の対物光学ユニットを備えたことを特徴とする。
本発明の対物光学ユニットの製造方法は、請求項１に記載の対物光学ユニットの製造方法であって、前記移動レンズ枠をその移動範囲内において該移動レンズ枠の後端部が前記切り欠き部後端の第２の固定レンズ枠内周面に周接し、かつ当該移動レンズ枠の先端部が前記第１の固定レンズ枠の基端外周面に周接するように配置させることによって、前記第１の固定レンズ枠及び前記移動レンズ枠によって形成される内部と外部との連通を遮断した状態で、前記移動レンズ枠の操作に必要な各部品の取り付けを行うことを特徴とする。
【０００８】
【発明の実施の形態】
以下、図面を参照して本発明の実施の形態を説明する。
図１ないし図１４は本発明の一実施形態に係り、図１は内視鏡装置の構成を説明する図、図２は挿入部の先端硬性部の構成を説明する長手方向断面図、図３は通常観察時の対物光学ユニットの構成を説明する長手方向断面図、図４は拡大観察時の対物ユニットの構成を説明する長手方向断面図、図５は図３のＡ−Ａ線における対物ユニットの構成を説明する断面図、図６は図３のＢ−Ｂ線における対物光学ユニットの構成を説明する図、図７は図３のＣ−Ｃ線における対物光学ユニットの構成を説明する図、図８は組み付け前の防塵カバーを説明する図、図９は対物光学ユニットの構成を説明する斜視図、図１０は焦点切換レバー部の構成を説明する正面図、図１１は焦点切換レバー部の構成を説明する側面図、図１２は操作部折れ止め部材の構成を説明する図、図１３は操作部に設けられた印刷面を説明する操作部裏面図、図１４は操作部に設けられた印刷面を説明する操作部側面図である。
【０００９】
図１に示すように本実施形態の内視鏡装置１は、撮像手段を内蔵した内視鏡２と、この内視鏡２に照明光を供給する光源装置３と、前記内視鏡２の撮像手段に対する信号処理を行うビデオプロセッサ４と、このビデオプロセッサ４から出力される映像信号を表示するモニタ５とで主に構成され、前記ビデオプロセッサ４には図示しないＶＴＲデッキ、ビデオプリンタ、ビデオディスク、画像ファイル装置等が接続できるようになっている。
【００１０】
前記内視鏡２は、細長で可撓性を有する挿入部６と、この挿入部６の基端に設けられた操作部７と、この操作部７の側部から延出するユニバーサルコード８とで構成され、このユニバーサルコード８の端部にはコネクタ部９が設けられている。また、前記挿入部６と操作部７との接続部分には急激な曲がりを防止するための操作部折れ止め部材１０が設けられている。
【００１１】
前記挿入部６は、先端側から順に、後述する対物光学系である対物光学ユニットを内蔵した先端硬性部１１、複数の関節駒を連設して所望の方向、角度に湾曲可能な湾曲部１２、可撓性を有する可撓管部１３を連接して構成されている。
【００１２】
前記操作部７には観察画像のフリーズ、レリーズ等の操作を行うリモートスイッチ１４や送気・送水操作を行う送気・送水ボタン１５，吸引操作を行う吸引ボタン１６，前記湾曲部１２の上下／左右方向の湾曲操作を行う湾曲操作ノブ１７が設けられている。この湾曲操作ノブ１７の内側には焦点切換レバー１８が設けられている。
【００１３】
前記コネクタ部９は、前記光源装置３に着脱自在に接続され、側部には電気コネクタ受け１９が設けられている。この電気コネクタ受け１９には前記ビデオプロセッサ４と電気的に接続するための接続コード２０が着脱自在に装着されるようになっている。また、このコネクタ部９には加圧管口金２１，送水管口金２２，吸引管口金２３が設けられており、図示しない流体制御装置や吸引装置に接続されるようになっている。
【００１４】
なお、符号２４は操作部７の前側端部近傍に設けられた鉗子挿入口であり、この鉗子挿入口２４から生検鉗子等の処置具を挿入することにより、挿入部内を挿通する図示しない鉗子チャンネルを経て先端硬性部１１のチャンネル開口より処置具の先端を突出させることができるようになっている。
【００１５】
図２に示すように先端硬性部１１は、金属製、例えばステンレス材で略円柱形状に形成された先端部本体２５と、この先端部本体２５の先端側に被嵌されて接着剤によって一体的に固定された樹脂製の先端カバー２６とで構成されている。
この先端部本体２５の基端部には前記湾曲部１２を構成する複数の湾曲駒１２ａ，…を覆う湾曲ゴムチューブ２８の先端部が被覆されており、この先端部本体２５に糸巻き接着部を設けて強固に固定されている。なお、前記先端部本体２５の基端部には湾曲部１２を構成する最先端の湾曲駒１２ａが固定されている。
【００１６】
前記先端部本体２５には対物光学ユニット（以下対物ユニットと略記する）３０を配置する貫通孔２７が形成されている。この貫通孔２７は、基端側より先端側が細径に形成されており、対物ユニット３０と先端部本体２５との間には水密を確保する水密リング２９が配置されるようになっている。
【００１７】
前記対物ユニット３０の基端には図示しない固体撮像素子等が固定されたＣＣＤ枠４０が配置されており、この固体撮像素子から延出する信号ケーブル（不図示）が、挿入部６，操作部７，ユニバーサルコード８，コネクタ部９及び接続コード２０を介してビデオプロセッサ４に電気的に接続されるようになっている。
【００１８】
ここで、前記図２ないし図９を参照して対物ユニット３０の具体的な構成及び作用を説明する。
図２及び図３に示すように前記対物ユニット３０は、固定光学系と移動光学系とを有して構成されている。
【００１９】
前記固定光学系は、先端部本体２５に固設された鏡枠である第１固定レンズ枠３１に例えば複数の光学レンズ３３ａ，３３ｂ，３３ｃを配設して構成した先端側レンズ群３３と、鏡枠である第２固定レンズ枠３２に例えば複数の光学レンズ３４ａ，３４ｂを配設して構成した基端側レンズ群３４とで構成されている。前記第１固定レンズ枠３１と第２固定レンズ枠３２とは接着固定によって一体的に固定される。
【００２０】
一方、前記移動光学系は、前記第２固定レンズ枠３２の内周面を摺動するように配置されされた移動レンズ枠３５に、前記固定光学系の光軸と一致するように例えば可変焦点レンズ３６を配設して構成されている。そして、前記移動レンズ枠３５は、前記焦点切換レバー１８を操作することにより、前記先端側レンズ群３３と前記基端側レンズ群３４との間を移動して、図３に示す通常観察（広角観察）位置や図４に示す拡大観察位置に配置されて、通常の観察や拡大による観察を行えるようになっている。
【００２１】
図５に示すように前記第２固定レンズ枠３２の先端部の断面形状は、前記第１固定レンズ枠３１及び移動レンズ枠３５が配置される貫通孔３２ａを有する略円形形状であり、図中下部側には先端側で開放して光軸に沿って細長な切り欠き部３２ｂが形成されている。
【００２２】
また、この第２固定レンズ枠３２の先端側外周面には蓋部材３７で水密に接着固定される貫通孔３８ａを有する突出部３８ｂを設けた略逆さ凸字形状の押さえ環３８が配置されている。
【００２３】
前記突出部３８ｂの周囲には接着剤等によって断面形状が略Ｕ字形状で細長に形成された防塵カバー３９が水密に接着固定されている。なお、前記貫通孔３８ａは、後述するワイヤ受け部材４１に対向する組み付けのための透孔であり、組み付け完了後、前記蓋部材３７が水密的に接着固定される。
【００２４】
図６に示すように前記第２固定レンズ枠３２の中途部の断面形状は、先端側より太径な円形形状であり、先端側と同様前記移動レンズ枠３５が摺動配置される貫通孔３２ａを有している。
【００２５】
また、前記第２固定レンズ枠３２の下端部には平行な平面部を有する一対の段部３２ｃが形成されており、この段部３２ｃに前記防塵カバー３９の開口側端面部が接着剤等によって水密に接着固定されている。
【００２６】
一方、前記貫通孔３２ａに摺動配置される移動レンズ枠３５は、前記第１固定レンズ枠３１の基端部が配置される凹部３５ａを形成した略円筒形状の筒部３５ｂと、この筒部３５ｂの略中央部外周面より突出して前記切り欠き部３２ｂを通って前記第２固定レンズ枠３２の外表面から突出する柄部３５ｃとで構成されている。この柄部３５ｃにはワイヤ受け部材４１が配置される構成になっている。
【００２７】
図７に示すように前記第２固定レンズ枠３２の基端部の断面形状は、貫通孔３２ａを有する略円形形状の外周面の一部に枠突出部３２ｄを設けた略逆さ凸字形状である。前記枠突出部３２ｄには一端部をワイヤ受け部材４１に固定し、他端部を操作部７内で前記焦点切換レバー１８に連結した操作ワイヤ４３が挿通するワイヤガイド管４４を保持する保持部材４５が前記ワイヤ受け部材４１と同軸になるように螺合固定されている。
【００２８】
前記枠突出部３２ｄの外形形状は、前記押さえ環３８の突出部３８ｂと同形状であり、この枠突出部３２ｄの外周面には前記防塵カバー３９が接着配置されている。
【００２９】
また、前記保持部材４５の先端側外周には前記柄部３５ｃの移動量を規制するストッパ４６が配されている。このストッパ４６と相対する第２固定レンズ枠３２には前記ワイヤ受け部材４１が光軸に近接して配されるように、平面部３２ｅが形成してあり、前記移動レンズ枠３５の移動操作時に加わる回転力が極力小さくなる構成になっている。
【００３０】
そして、前記図４に示すように移動レンズ枠３５を移動範囲内の所定位置である最後端部に配した際、この移動レンズ枠３５の先端部が第１固定レンズ枠３１の基端部外周面に接した状態になるとともに、移動レンズ枠３５の後端部が第２固定レンズ枠３２の内周面に接した状態になって、前記第２固定レンズ枠３２の切り欠き部３２ｂによって形成された開口を前記第１固定レンズ枠３１及び移動レンズ枠３５によって閉塞状態になるように各部品が構成されている。
【００３１】
なお、前記防塵カバー３９は、第２固定レンズ枠３２の枠突出部３２ｄ及押さえ環３８の突出部３８ｂと略同形状であるが、組付け前には図７に示すようにＵ字形状の開口端部の幅寸法Ｄは組み付け状態の幅寸法より小さく形成されている。このため、前記防塵カバー３９を枠突出部３２ｄ及び突出部３８ｂに組み付けた際、防塵カバー３９の有する弾性力によって枠突出部３２ｄ及び突出部３８ｂに仮固定されるので安定した接着作業を行える。
【００３２】
また、前記防塵カバー３９は、突出部３８ｂ、段部３２ｃの平面部、枠突出部３２ｄに面接触した状態で接着固定されているので、接着剤が内部に流れ込むことを防止された状態で水密が確保される。
【００３３】
さらに、前記ワイヤ受け部材４１には前記移動レンズ枠３５を対物ユニット３０の光軸に沿って移動させるための操作ワイヤ４３の端部が半田等によって一体的に固定されている。
又、前記ワイヤ受け部材４１には前記柄部３５ｃに螺合固定するための雄ネジ部４１ａが設けられている。
【００３４】
図３、図４及び図９を参照して対物ユニット３０組立時の作用について説明する。
まず、第１固定レンズ枠３１に、先端側開口より順に光学レンズ３３ｃ、３３ｂ、３３ａを落とし込み接着剤によって固定する。また、第２固定レンズ枠３２に、手元側開口より順に光学レンズ３４ａ、３４ｂを落とし込み接着剤によって固定する。ここまでの作業は、拡大観察機能を有していない通常の内視鏡における作業と同じである。さらに、移動レンズ枠３５に可変焦点レンズ３６を接着固定する。
【００３５】
なお、上述した作業においては、それぞれ単体での洗浄作業が容易であるので、ゴミ等が付着していた場合には洗浄を行うことによって容易にゴミ等の除去を行える。
【００３６】
次に、前記移動レンズ枠３５の柄部３５ｃを、前記第２固定レンズ枠３２の切り欠き部３２ｂに配した状態にし、前記移動レンズ枠３５を先端側開口より貫通孔３２ａに挿入配置する。
【００３７】
次いで、前記第２固定レンズ枠３２の先端側外周に押さえ環３８を外嵌した後、第１固定レンズ枠３１の基端部を第２固定レンズ枠３２の先端側開口から貫通孔３２ａに挿入する。そして、接着剤によって第１固定レンズ枠３１と第２固定レンズ枠３２とを一体的に固定する。このとき、前記移動レンズ枠３５は、第２固定レンズ枠３２の貫通孔３２ａ内で摺動自在な状態であり、前記第２固定レンズ枠３２の内部空間と外部とが切り欠き部３２ｂの形成する開口によって連通された状態になっている。
【００３８】
ここで、前記移動レンズ枠３５を手元側に移動する。すると、図で示すように前記切り欠き部３２ｂの形成する開口によって第２固定レンズ枠３２の内部空間と外部とが連通した状態から第１固定レンズ枠３１及び移動レンズ枠３５によって前記開口が塞がれた状態になる。つまり、第２固定レンズ枠３２の内部空間へゴミ等が侵入する経路を遮断した状態になる。そして、この後の作業を切り欠き部３２ｂを塞いだ状態で行う。
【００３９】
まずこの状態で、ワイヤガイド管４４が固定された保持部材４５を第２固定レンズ枠３２の枠突出部３２ｄに螺合固定し、ストッパ４６を保持部材４５に螺合し、前記移動レンズ枠３５の移動量が所定の距離になる位置で接着固定する。
【００４０】
次に、操作ワイヤ４３が固定されたワイヤ受け部材４１を先端側より押さえ環３８の貫通孔３８ａを介して挿入し、操作ワイヤ４３をワイヤガイド管４４内に挿通した後、ワイヤ受け部材４１の雄ネジ部４１ａを移動レンズ枠３５の枠柄部３５ｃに螺合固定する。
【００４１】
この後、蓋部材３７及び防塵カバー３９を水密的に接着固定する。このことで、対物ユニット３０の内部が完全に水密状態になる。この状態では、前記移動レンズ枠３５を先端側に移動させて切り欠き部３２ｂによる開口が形成されてもゴミ等が第２固定レンズ枠３２の内部に浸入することは無い。
【００４２】
そして最後に、固体撮像素子等が組み付けられたＣＣＤ枠４０を第２固定レンズ枠３２に固定し、先端部本体２５に組み込むことで内視鏡２の組み立てを完了する。
【００４３】
このように、移動レンズ枠を最後端部に配した際、移動レンズ枠の先端部が第１固定レンズ枠の基端部外周面に接するとともに、移動レンズ枠の後端部が第２固定レンズ枠の内周面に接して、第２固定レンズ枠の切り欠き部によって形成された開口を、第１固定レンズ枠及び移動レンズ枠によって閉塞するように各部品を構成したことによって、通常の内視鏡を組み立てるのと同様の作業で、移動光学系を備えた対物光学ユニットの内部にゴミ等を侵入させることなく、組み立てを行うことができる。
【００４４】
ところで、図１０及び図１１に示すように回動する焦点切換レバー１８に相対する操作部７に、前記焦点切換レバー１８を例えば中間倍率位置で固定するための固定用凸部５８を設けることによって、この固定用凸部５８で焦点切換レバー１８を保持して中間倍率での観察を容易に行うことができる。
【００４５】
また、図１０に示すように前記操作部７の焦点切換レバー１８に相対する位置に、例えば通常観察位置、中間倍率位置及び最大倍率位置を使用者に目視的に告知する指標４７を設けることにより、観察時に使用者は焦点切換えレバー１８の位置する指標４７を視認して観察状態の確認を行うことできる。なお、この指標４７は、記号或いは倍率を表わす数字等でもよく、この指標４７を設ける位置も操作部７の側面であってもよい。
【００４６】
ところで、折れ止め部材１０と操作部７との間の水密を図るため、図１２に示すように可撓管部１３の手元側端部を手元側口金４８に固定し、この手元側口金４８を操作部７の内部に配されているフレーム部材４９に止めナット５０によって固定している。このとき、フレーム部材４９と手元口金４８との当接面に水密リング５１を設けて水密を確保する。
【００４７】
一方、操作部折れ止め部材１０は、弾性ゴムよりなる折れ止め部５２と、前記フレーム部材４９に螺合固定された硬質の口金部５３とにより構成され、この口金部５３と折れ止め部５２とはインサート成形により一体的に構成している。そして、前記口金部５３の手元側端部に形成された押圧用凸部５３ａの外周を折れ止め部５２が被覆した状態にしている。
【００４８】
つまり、押圧用凸部５３ａの外周を被覆する折れ止め部５２は、操作部７の外周を覆う操作部ケーシング５４の先端側端面に押圧された状態で配設されるので、操作部ケーシング５４と折れ止め部５２との間の水密を確保することができる。
【００４９】
また、折れ止め部５２の内部に前記口金部５３の押圧用凸部５３ａが配され、硬質部材によって挟み込まれているので、押圧力によって折れ止め部５２が変形すること無く安定した水密を確保することができる。
【００５０】
ところで、図１３及び図１４に示すように操作部７の例えば裏面側に例えば社名等を表す文字や記号などを印刷する印刷面５６を設ける際、この印刷面５６の近傍に保護用凸部５７を設けることによって、操作部７の印刷面５６を下側にして置いた場合でも、印刷面に印刷されている文字や記号が削れることを防止することができる。
【００５１】
なお、本発明は、以上述べた実施形態のみに限定されるものではなく、発明の要旨を逸脱しない範囲で種々変形実施可能である。
【００５２】
【発明の効果】
以上説明したように本発明によれば、通常の環境下で、移動光学系を有する対物光学ユニットの組み立てを行う場合でも、鏡枠の内部へのゴミ等の浸入を防止した対物光学ユニット、医療機器及び対物光学ユニットの製造方法を提供することができる。
【図面の簡単な説明】
【図１】図１ないし図１４は本発明の一実施形態に係り、図１は内視鏡装置の構成を説明する図
【図２】挿入部の先端硬性部の構成を説明する長手方向断面図
【図３】通常観察時の対物光学ユニットの構成を説明する長手方向断面図
【図４】拡大観察時の対物ユニットの構成を説明する長手方向断面図
【図５】図３のＡ−Ａ線における対物ユニットの構成を説明する断面図
【図６】図３のＢ−Ｂ線における対物光学ユニットの構成を説明する図
【図７】図３のＣ−Ｃ線における対物光学ユニットの構成を説明する図
【図８】組み付け前の防塵カバーを説明する図
【図９】対物光学ユニットの構成を説明する斜視図
【図１０】焦点切換レバー部の構成を説明する正面図
【図１１】焦点切換レバー部の構成を説明する側面図
【図１２】操作部折れ止め部材の構成を説明する図
【図１３】操作部に設けられた印刷面を説明する操作部裏面図
【図１４】操作部に設けられた印刷面を説明する操作部側面図
【符号の説明】
２…内視鏡
３０…対物光学ユニット
３１…第１固定レンズ枠
３２…第２固定レンズ枠
３２ｂ…切り欠き部
３５…移動レンズ枠
３５ｃ…柄部
【図１】
0004558956.tif 000002
【図２】
0004558956.tif 000003
【図３】
0004558956.tif 000004
【図４】
0004558956.tif 000005
【図５】
0004558956.tif 000006
【図６】
0004558956.tif 000007
【図７】
0004558956.tif 000008
【図８】
0004558956.tif 000009
【図９】
0004558956.tif 000010
【図１０】
0004558956.tif 000011
【図１１】
0004558956.tif 000012
【図１２】
0004558956.tif 000013
【図１３】
0004558956.tif 000014
【図１４】
0004558956.tif 000015